(57)【要約】【課題】鉄筋、足場等の結束を、ワイヤーの巻き締めにより簡便に行えるようにする結束用具を提供する。【解決手段】回転により結束用ワイヤー３０を巻き締める結束用具１０Ａが、回転の中心軸Ｌ0の周りに設けられたワイヤー挿入用孔部１１及びワイヤー係止用切り欠き２３の少なくとも一方を複数個を有し、さらに該中心軸Ｌ0に沿って形成された回転軸挿入用孔部１３又は該中心軸Ｌ0に沿って突出した突出部１６、１７を有する。【選択図】図１０
2020051205.tif 000002
【特許請求の範囲】
【請求項１】
回転により結束用ワイヤーを巻き締める結束用具であって、
回転の中心軸の周りに設けられたワイヤー挿入用孔部及びワイヤー係止用切り欠きの少なくとも一方を複数個と、
該中心軸に沿って形成された回転軸挿入用孔部を有する結束用具。
【請求項２】
回転により結束用ワイヤーを巻き締める結束用具であって、
回転の中心軸の周りに設けられたワイヤー挿入用孔部及びワイヤー係止用切り欠きの少なくとも一方を複数個と、
該中心軸に沿って突出した突出部を有する結束用具。
【請求項３】
突出部に、回転軸挿入用孔部が形成されている請求項２記載の結束用具。
【請求項４】
回転軸挿入用孔部が、電動ドライバーのビットが挿入可能である請求項１又は３記載の結束用具。
【請求項５】
回転軸挿入用孔部の横断面が多角形である請求項４記載の結束用具。
【請求項６】
突出部の横断面が多角形である請求項２〜５のいずれかに記載の結束用具。
【請求項７】
突出部の先端部に、電動ドライバーのビットホルダーに装着可能な突出部が形成されている請求項２〜６のいずれかに記載の結束用具。
【請求項８】
複数のワイヤー係止用切り欠きが、放射状に配置された複数の屈曲した切り欠きからなり、羽根車状部材を形成している請求項１〜７のいずれかに記載の結束用具。
【請求項９】
前記中心軸に沿って２つの羽根車状部材を有する請求項８記載の結束用具。
【請求項１０】
羽根車状部材の中央部に、ワイヤー挿入用孔部が形成されている請求項８記載の結束用具。
【請求項１１】
ワイヤーカッターの着脱を可能とするカッター取り付け部を有する請求項１〜１０のいずれかに記載の結束用具。
【発明の詳細な説明】
【技術分野】
【０００１】
鉄筋、足場パイプ等をワイヤーで結束するときに使用する結束用具に関する。
【背景技術】
【０００２】
従来、コンクリート構造物の芯材として使用されている鉄筋同士の結束に溶接継ぎ手が使用されていた。しかしながら、溶接継ぎ手により鉄筋同士を結束すると、溶接時の熱により鉄筋の強度に悪影響が及ぼされる。これに関し、大型構造物が地震で倒壊するという事態も発生し、溶接を要することなく鉄筋同士を結束する方法が必要とされている。
【０００３】
これに対して、Ｕ字型に折り曲げ成形されたプレート金具とボルトからなる鉄筋の結合金具が提案されている（特許文献１）。
【０００４】
一方、足場パイプ等の交差部については、ハッカー又はシノを用いてワイヤーを巻き締めることで交差部を結束することがなされている（特許文献２）。
【先行技術文献】
【特許文献】
【０００５】
【特許文献１】特開２００３−３４３０８５号公報
【特許文献２】実開平４−６２８４６号公報
【発明の概要】
【発明が解決しようとする課題】
【０００６】
しかしながら、特許文献１に記載の結合金具を用いて鉄筋同士を結合する場合、配筋間隔が狭いと結合金具同士がぶつかり合うという問題が生じる。また、鉄筋の交差部と結合金具との隙間にコンクリートが入りにくいという問題もある。さらに、結束金具の固定のためにボルト締めが必要とされることが煩雑でもあった。
【０００７】
これに対し、ハッカー又はシノを用いて鉄筋同士をワイヤーで巻き締めることも考えられる。この場合、１本のワイヤーを屈曲させることにより形成される輪にハッカーやシノの先端部を通し、ワイヤーの残部を鉄筋の結束部に回し、さらにワイヤーの輪の部分に絡むようにワイヤーの残部を巻き付け、巻き回して締め上げることになるが、この作業が繁雑であり、また、鉄筋にワイヤーをかける向きにより、結束する鉄筋同士が垂直に交差せず、いずれか一方に傾きやすいという問題もある。
【０００８】
以上の従来技術に対し、本発明は、鉄筋、足場等の結束を、ワイヤーの巻き締めにより簡便に行えるようにする結束用具の提供を課題とする。
【課題を解決するための手段】
【０００９】
本発明者は、番線等の結束用ワイヤーは一般に、Ｕ字型に屈曲した形態で販売されていることから、結束する鉄筋同士の交差部に対し、Ｕ字型に屈曲したワイヤーの複数を対称的に係止し、そのワイヤーの先端を、回転可能な用具の孔部に通し、その用具を回転させることでワイヤーを巻き締めると、鉄筋同士を、それらが垂直に交差した状態で簡便に結束できることを想到し、この巻き締めに好適な用具として本発明の結束用具を完成させた。
【００１０】
即ち、本発明は、回転により結束用ワイヤーを巻き締める結束用具であって、
回転の中心軸の周りに設けられたワイヤー挿入用孔部及びワイヤー係止用切り欠きの少なくとも一方を複数個と、
該中心軸に沿って形成された回転軸挿入用孔部を有する結束用具を提供する。
【００１１】
また、本発明は、回転により結束用ワイヤーを巻き締める結束用具であって、
回転の中心軸の周りに設けられたワイヤー挿入用孔部及びワイヤー係止用切り欠きの少なくとも一方を複数個と、
該中心軸に沿って突出した突出部を有する結束用具を提供する。
【発明の効果】
【００１２】
本発明の結束用具を用いると、結束する鉄筋、足場パイプ、足場丸太等の棒状部材を簡便にワイヤーの巻き締めにより結束することができる。この場合、結束した棒状部材同士の交差角度を容易に垂直にすることができる。また、コンクリートの配筋を結束した場合には、結束部とコンクリートとのなじみも良好となる。
【図面の簡単な説明】
【００１３】
【図１】図１は、実施例の結束用具１０Ａの斜視図である。
【図２Ａ】図２Ａは、実施例の結束用具１０Ａの使用方法の説明図である。
【図２Ｂ】図２Ｂは、実施例の結束用具１０Ａの使用方法の説明図である。
【図３】図３は、実施例の結束用号１０Ｂの斜視図である。
【図４】図４は、実施例の結束用具１０Ｂの使用方法の説明図である。
【図５】図５は、実施例の結束用具１０Ｃの斜視図である。
【図６】図６は、実施例の結束用具１０Ｄの斜視図である。
【図７】図７は、実施例の結束用具１０Ｅの斜視図である。
【図８Ａ】図８Ａは、実施例の結束用具１０Ｆの斜視図である。
【図８Ｂ】図８Ｂは、実施例の結束用具１０Ｆの使用方法の説明図である。
【図９】図９は、実施例の結束用具１０Ｇの斜視図である。
【図１０】図１０は、実施例の結束用具１０Ｈの斜視図である。
【図１１Ａ】図１１Ａは、実施例の結束用具１０Ｉの斜視図である。
【図１１Ｂ】図１１Ｂは、実施例の結束用具１０Ｉの使用方法の説明図である。
【図１２Ａ】図１２Ａは、実施例の結束用具１０Ｊの斜視図である。
【図１２Ｂ】図１２Ｂは、実施例の結束用具１０Ｊの使用方法の説明図である。
【発明を実施するための形態】
【００１４】
以下、本発明を、図面を参照しつつ詳細に説明する。なお、各図において、同一符号は同一又は同等の構成要素を表している。
【００１５】
図１は、本発明の実施例の結束用具１０Ａの斜視図であり、図２Ａ及び図２Ｂは、その使用方法を説明する斜視図である。
【００１６】
図１に示した結束用具１０Ａは、図２Ｂに矢印で示すように、回転により結束用ワイヤー３０を巻き締めるものであって、回転の中心軸Ｌ0の周りに複数のワイヤー挿入用孔部１１と、中心軸Ｌ0に沿って形成された回転軸挿入用孔部１３を有している。
【００１７】
より具体的には、この結束用具１０Ａにおいてワイヤー挿入用孔部１１は筒状部材１２の内部の貫通孔から形成されている。ワイヤー挿入用孔部１１の径は、結束に使用するワイヤー（例えば、１０〜１２番線）を複数本入挿入できる大きさとする。このような貫通孔を有する筒状部材１２として、例えば、高ナット、パイプ等を使用することができる。また、本実施例の結束用具１０Ａでは、ワイヤー挿入用孔部１１を有する筒状部材１２を、回転軸Ｌ0に沿って伸びている中央部材１４の周りに２個有している。
【００１８】
回転軸挿入用孔部１３は、該回転軸挿入用孔部１３に電動ドライバーのビット等を回転軸として挿入するための孔部であり、本実施例の結束用具１０Ａでは角柱状の中央部材１４に貫通孔として形成されている。回転軸挿入用孔部１３の横断面を４角又は６角の多角形とすることにより、電動ドライバーのビットが回転軸挿入用孔部１３にちょうど嵌まり、ビットの回転がロス無く結束用具１０Ａに伝わるようにすることが好ましい。
【００１９】
中央部材１４には、回転軸挿入用孔部１３に挿入した電動ドライバーのビットを固定できるように、回転軸固定用ネジ１５を設けることができる。回転軸挿入用孔部１３内に板バネ等の弾性部材を組み込んで電動ドライバーのビットを回転軸挿入用孔部１３に固定できるようにしてもよい。
【００２０】
筒状部材１２と中央部材１４は、溶接又は接着剤等で接着されている。別途、固定金具を用いてこれらを接合してもよい。
【００２１】
この結束用具１０Ａの使用方法としては、図２Ａに示すように、電動ドライバー１のビット２を結束用具１０Ａの回転軸挿入用孔部１３に挿入し、回転軸固定用ネジ１５で固定する。
【００２２】
一方、結束部位の用途に応じて２本以上の結束用ワイヤー３０ａ、３０ｂを用意する。これらはＵ字型に湾曲していることが好ましい。
【００２３】
結束すべき第１の棒状部材３１と第２の棒状部材３２との交差部に、２本の結束用ワイヤー３０ａ、３０ｂを、一方の棒状部材３２の両側で他方の棒状部材３１に対称的に係止させ、これらのワイヤー３１、３２の一端を２つのワイヤー挿入用孔部１１に一方に通すと共に、他端を２つのワイヤー挿入用孔部１１の他方に通す。そして、図２Ｂに示すように、電動ドライバー１でビット２を回転させることにより結束用具１０Ａを回転させる。これにより、結束用ワイヤー３０ａ、３０ｂは容易に巻き締められ、第１の棒状部材３１と第２の棒状部材３２とが垂直に交差した状態で固定される。巻き締めた後の結束用ワイヤー３０ａ、３０ｂの端部は、必要に応じて適宜切断すればよい。
【００２４】
本発明は種々の態様をとることができる。例えば、図３に示す結束用具１０Ｂのように、上述の結束用具１０Ａにおいて中央部材１４の周りに筒状部材１２を４つ配置し、図４に示すように、結束用ワイヤー３０ａ、３０ｂの各端部がそれぞれ一つのワイヤー挿入用孔部１１に入るようにしてもよい。これにより、結束用ワイヤー３０ａ、３０ｂのワイヤー挿入用孔部１１への挿入が容易となる。
【００２５】
また、図３に示す結束用具１０Ｂのように、中央部材１４を筒状部材１２の形成位置から突出させてもよい。この突出部１６の横断面を多角形とすることが好ましい。これにより、突出部１６を容易にレンチ等で掴むことができ、レンチで結束用ワイヤー３０ａ、３０ｂを巻き締めることが可能となる。特に、ラチェット機構を有するレンチを使用することにより、巻き締めが容易となる。
【００２６】
さらに、中央部材１４に回転軸挿入用孔部１３を形成することなく、中央部材１４を筒状部材１２の形成位置から突出させ、その突出部１６をレンチ等で掴んで結束用ワイヤー３０ａ、３０ｂを巻き締めるようにしてもよい。この場合に、図５に示す結束用具１０Ｃのように、突出部１６の先端部に、電動ドライバーのビットホルダーに装着可能な細径の突出部１７を設けてもよい。これにより結束用具１０Ｃを直接電動ドライバーに取り付け、結束用ワイヤー３０ａ、３０ｂを巻き締めることが可能となる。
【００２７】
図６に示す結束用具１０Ｄのように、中央部材１４の一端から電動ドライバーのビットホルダーに装着可能な細径の突出部１７を設け、他端にハッカー３３の着脱を可能とするハッカー取り付け部１８を設けてもよい。この結束用具１０Ｄでは、ハッカー３３の把持部の端部をハッカー取り付け部１８に螺合させることによりハッカー３３の取り付けを可能としている。
【００２８】
図７に示す結束用具１０Ｅは、中央部材１４を長尺に形成し、その一方の端部に回転軸挿入用孔部１３として、電動ドライバーのビットの挿入用孔部を設け、他方の端部にワイヤー挿入用孔部１１を有する筒状部材１２を複数設け、さらに、巻き締め後の余分なワイヤーをカットするワイヤーカッター３４の着脱を可能とするカッター取り付け部１９を中央部材１４に設けたものである。カッター取り付け部１９の構成に特に限定はなく、例えばカッター取り付け部１９として、板バネを湾曲させ、ワイヤーカッター３４の軸部３５を嵌め込めるようにしたもの等を設けることができる。この結束用具１０Ｅによれば、高所での結束用ワイヤーの巻き締めが可能となる。
【００２９】
本発明において、ワイヤー挿入用孔部１１の形成方法に特に制限はない。図８Ａに示す結束用具１０Ｆは、筒状部材２０の内部に仕切り板２１を接合することにより区切られた内部空間をワイヤー挿入用孔部１１としたものである。この場合、ワイヤー挿入用孔部１１としては、開口部の小さい２つの孔部１１ａと開口部の大きい１つの孔部１１ｂが設けられている。したがって、この結束用具１０Ｆを用いて２本のワイヤーを巻き締めるときには、図８Ｂに示すように２本のワイヤー３０ａ、３０ｂの一端を開口部の大きい孔部１１ｂに挿入し、これらのワイヤー３０ａ、３０ｂの他端を開口部の小さい２つの孔部１１ａに一つずつ挿入することが好ましい。
【００３０】
また、この結束用具１０Ｆの一方の端部には角柱状の太径の突出部１６が突出し、その先端に電動ドライバーのビットホルダーに装着可能な細径の突出部１７が形成されている。したがって、この結束用具１０Ｆによれば、細径の突出部１７を電動ドライバーのビットホルダーに装着することにより、電動ドライバーを用いてワイヤーを巻き締めることができ、また、太径の突出部１６をレンチで掴むことにより、ワイヤーを巻き締めることができる。
【００３１】
図９に示す結束用具１０Ｇは、柱状部材２２に貫通孔を形成することによりワイヤー挿入用孔部１１を形成したものである。この結束用具１０Ｇも図８Ａに示した結束用具１０Ｆと同様に、開口部の小さい２つの孔部１１ａと開口部の大きい１つの孔部１１ｂを有し、また、レンチで掴むことのできる角柱状の太径の突出部１６と、電動ドライバーのビットホルダーに装着可能な細径の突出部１７を有している。
【００３２】
図１０に示す結束用具１０Ｈは、図９に示した結束用具１０Ｇにおいて、ワイヤー挿入用孔部１１として４つの貫通孔を設けたものである。ワイヤー挿入用孔部１１の数としては、ワイヤー挿入用孔部１１に通した各ワイヤーの巻き締めが均等に行われるように、２本のワイヤーの合計４つの端部をそれぞれ異なるワイヤー挿入用孔部に通せるようにする点から、４つ以上が好ましく、孔部の孔径に十分な大きさを確保する点から４つがより好ましい。
【００３３】
図１１Ａに示す結束用具１０Ｉは、上述した結束用具のワイヤー挿入用孔部１１に代えてワイヤー係止用切り欠きを設けたものである。より具体的には、複数の屈曲した切り欠き２３が放射状に配置されており、これらの切り欠き２３により羽根車状部材２４が形成されている。また、この結束用具１０Ｉでは、回転の中心軸Ｌ0に沿って２つの羽根車状部材２４が筒状部材２５に取り付けられている。筒状部材２５の一端には、レンチ等で掴むことのできる角柱状の太径の突出部１６が設けられ、その先端には電動ドライバーのビットホルダーに装着可能な細径の突出部１７が設けられている。
【００３４】
この結束用具１０Ｉによれば、図１１Ｂに示すように、２本の結束用ワイヤー３０ａ、３０ｂの両側部をそれぞれ２つの羽根車状部材２４に引っかければよく、ワイヤー挿入用孔部に通すことが不要であるため、より簡便にワイヤーを巻き締めることができる。
【００３５】
図１２Ａに示す結束用具１０Ｊは、図１１Ａに示した結束用具１０Ｉにおいて、羽根車状部材２４を一つとし、その天面に二つのワイヤー挿入用孔部１１を設けたものである。この結束用具１０Ｊで結束用ワイヤーを巻き締める場合には、図１２Ｂに示すように、結束ワイヤー３０ａ、３０ｂの一方の端部をワイヤー挿入用孔部１１に通し、他方の側部を羽根車状部材２４に引っかければよい。このように、ワイヤー挿入用孔部１１とワイヤー係止用切り欠き２３も組み合わせることができる。
【００３６】
本発明において、上述した回転軸挿入用孔部１３、太径の突出部１６、細径の細径部１７も適宜組み合わせることができ、いずれの態様にも必要に応じてハッカー取り付け部やカッター取り付け部を設けることができる。
【００３７】
本発明の結束用具は、鉄筋の結束、足場用パイプ等の結束、荷造り用ワイヤーの結束等、ワイヤーを用いた結束に広く使用することができる。
【符号の説明】
【００３８】
１    電動ドライバー
２    ビット
１０Ａ、１０Ｂ、１０Ｃ、１０Ｄ、１０Ｅ、１０Ｆ、１０Ｇ、１０Ｈ、１０Ｉ、１０Ｊ  結束用具
１１    ワイヤー挿入用孔部
１２    筒状部材
１３    回転軸挿入用孔部
１４    中央部材
１５    回転軸固定用ネジ
１６、１７    突出部
１８    ハッカー取り付け部
１９    カッター取り付け部
２０    筒状部材
２１    仕切り板
２２    柱状部材
２３    ワイヤー係止用切り欠き
２４    羽根車状部材
２５    筒状部材
３０、３０ａ、３０ｂ    結束用ワイヤー
３１    第１の棒状部材
３２    第２の棒状部材
３３    ハッカー
３４    ワイヤーカッター
３５    軸部
Ｌ0   中心軸
【図１】
2020051205.tif 000003
【図２Ａ】
2020051205.tif 000004
【図２Ｂ】
2020051205.tif 000005
【図３】
2020051205.tif 000006
【図４】
2020051205.tif 000007
【図５】
2020051205.tif 000008
【図６】
2020051205.tif 000009
【図７】
2020051205.tif 000010
【図８Ａ】
2020051205.tif 000011
【図８Ｂ】
2020051205.tif 000012
【図９】
2020051205.tif 000013
【図１０】
2020051205.tif 000014
【図１１Ａ】
2020051205.tif 000015
【図１１Ｂ】
2020051205.tif 000016
【図１２Ａ】
2020051205.tif 000017
【図１２Ｂ】
2020051205.tif 000018